(57)【要約】【課題】高級感を向上させるために電波時計に金属製の文字板を用いてもアンテナによる受信感度が損なわれることなく、外部電波を良好に受信することのできる無線機能付き時計の表示板を提供すること。【解決手段】導電性の上側部材３２と、非導電性の下側部材３４とを備え、上側部材３２に少なくとも１つの開口部４２が形成され、その開口部４２の直下にアンテナの開放端部３８ａ、３８ｂのいずれかが臨むように配置され、さらに、この開口部４２は下側部材３４の上面に構成された非導電性で透光性を備えた時字表示体４４により覆われていることを特徴とする。【選択図】図１
2010223785.tif 000002
【特許請求の範囲】
【請求項１】
導電性の上側部材と、非導電性の下側部材とを備え、前記上側部材に少なくとも１つの開口部が形成され、この開口部は前記下側部材の上面に構成された非導電性の装飾部材により覆われていることを特徴とする表示板。
【請求項２】
前記非導電性の下側部材の上面に構成された装飾部材は、当該下側部材に一体的に形成されていることを特徴とする請求項１に記載の表示板。
【請求項３】
前記非導電性の下側部材の上面に構成された装飾部材は、この下側部材とは別体で形成され、これら別体で形成された装飾部材が前記下側部材の上面に接合剤を介して接合されていることを特徴とする請求項１に記載の表示板。
【請求項４】
前記装飾部材が、透光性の部材により形成されていることを特徴とする請求項１から３のいずれかに記載の表示板。
【請求項５】
前記装飾部材の表面には、透光性の印刷層あるいは透光性のメッキ層が形成されていることを特徴とする請求項４に記載の表示板。
【請求項６】
前記装飾部材の表面には、透光性の印刷層あるいは透光性のメッキ層が形成されていることを特徴とする請求項１から５のいずれかに記載の表示板。
【請求項７】
導電性の上側部材を備えているとともに、当該上側部材に少なくとも１つの開口部が形成され、この開口部の周囲には、上方から装飾部材が、非導電性の接合剤を介して所定間隔離間して接合されることを特徴とする無線機能付き時計の表示板。
【請求項８】
前記装飾部材が、導電性の部材により形成されていることを特徴とする請求項７に記載の表示板。
【請求項９】
導電性の時計ケース胴体を有するハウジングと、前記ハウジング内に収容され、外部からの電波を受信するためのアンテナと、請求項１から８のいずれかに記載の表示板とを備えた無線機能付き時計であって、
前記表示板の開口部が、前記アンテナの少なくとも一方の開放端部に対向して配置されることを特徴とする無線機能付き時計。
【請求項１０】
前記ハウジング内に、無線機能付き時計の駆動源としてのソーラーセルが収納されていることを特徴とする請求項９に記載の無線機能付き時計。
【発明の詳細な説明】
【技術分野】
【０００１】
本発明は、無線機能付き時計の表示板に関する。
【背景技術】
【０００２】
従来、パソコン通信機能、携帯電話機能や非接触式ＩＣカード機能などの無線機能を備える時計は、既に知られている。
このような無線機能付き時計として、時刻情報を含む長波標準電波（搬送波）を受信して、そのような時刻情報に基づいて時刻を修正する無線機能を備えた電波時計も、また広く知られている。
【０００３】
図４は、このような無線機能付き時計（以下、電波時計ともいう）の一例を示したものである。
この電波時計２では、円筒状の時計ケース本体４内に収容されるムーブメント６の側方にアンテナ８が設置されている。そして、このアンテナ８を介して外部からの標準電波が受信され、時刻表示の修正が行なわれる。
【０００４】
このような電波時計２において、時計としての高級感を持たせるためには、風防ガラス１０が装着される時計ケース本体４と裏蓋１２との他、ムーブメント６の上方に配置される平板状の文字板１４も金属製あるいは表面に金属メッキ層が介在されることが好ましい。
【０００５】
しかしながら、この文字板１４が金属製あるいは表面に金属メッキ層が介在されていると、内方のアンテナ８が外部からの電波を受信できない。したがって、このような電波時計２では、円板状の文字板１４が非導電性の合成樹脂などから形成される場合が多い。
【０００６】
一方、図５に示した特許文献１には、高級感のある表示体を備えた金属製の時計文字板が提案されている。この時計文字板１６は、２枚の板材１８，２０からなるもので、表示体用孔２２が等間隔で形成された上側板１８は、Ｂｓ板材をプレス加工して製造され、また表面に表示体２４が突出して形成された下側板２０はＣｕとＮｉなどの合金からなり、電気鋳造法により製造されている。そして、これら上側板１８と下側板２０とは、互いに重ね合わされて接着固定される。
【０００７】
このような時計文字板１６は、板材１８，２０が金属により形成されていることから高級感が発揮される。しかしながら、そのまま電波時計に適用された場合には、下方に収容されたアンテナが外部からの電波を受信することができない。
【０００８】
また、上側板１８および下側板２０が金属製で透光性を有していないことから、ソーラー機能を備えた電波時計には、この時計文字板１６を適用することができない。
【先行技術文献】
【特許文献】
【０００９】
【特許文献１】特開２０００−３０４８７６号公報
【発明の概要】
【発明が解決しようとする課題】
【００１０】
本発明は、このような実情に鑑み、高級感を向上させるために時字などが搭載される上側部材が導電性を備えた金属から形成されていてもアンテナが外部電波を良好に受信でき、また太陽光発電を行なうソーラー機能付き電波時計にも適用できる無線機能付き時計の表示板を提供することを目的とする。
【課題を解決するための手段】
【００１１】
上記目的を達成するための本発明に係る無線機能付き時計の表示板は、
導電性の上側部材と、非導電性の下側部材とを備え、前記上側部材に少なくとも１つの開口部が形成され、この開口部は前記下側部材の上面に構成された非導電性の装飾部材により覆われていることを特徴とする。
【００１２】
ここで、本発明では、前記非導電性の下側部材の上面に構成された装飾部材は、当該下側部材に一体的に形成されていても良い。
また、本発明では、前記非導電性の下側部材の上面に構成された装飾部材は、この下側部材とは別体で形成され、これら別体で形成された装飾部材が前記下側部材の上面に接合剤を介して接合されていても良い。
【００１３】
また、本発明では、前記装飾部材が、透光性の部材により形成されていても良い。
さらに、本発明は、前記時字表示体の表面には、透光性の印刷層あるいは透光性のメッキ層が形成されていても良い。
【００１４】
このような構成の本発明に係る無線機能付き時計の表示板によれば、導電性の上側部材に形成された開口部に、装飾部材が下方から装着されるので、この開口部が目立つことはない。また、装飾部材が非導電性であることから、開口部を塞ぐとしてもアンテナによる受信感度が損なわれることはない。さらに、装飾部材が透光性を有しているので、内部にソーラーセルを収容して太陽発電を行なうソーラー機能付き電波時計にも適用可能である。
【００１５】
また、本発明に係る無線機能付き時計の表示板は、
導電性の上側部材を備えているとともに、当該上側部材に少なくとも１つの開口部が形成され、この開口部の周囲には、上方から装飾部材が、非導電性の接合剤を介して所定間隔離間して接合されることを特徴とする。
【００１６】
ここで、本発明では、前記装飾部材が、導電性の部材により形成されていても良い。    このような構成の本発明に係る無線機能付き時計の表示板であっても、導電性の上側部材の開口部の直下に、アンテナの開放端部が配置されているので、外部電波をアンテナが受信することができる。また、その上側部材の開口部には、上方から装飾部材が接合剤を介して接着され、これにより外部への露見が防止されるので、美感が損なわれることはない。
【００１７】
また、本発明に係る無線機能付き時計は、
導電性の時計ケース胴体を有するハウジングと、前記ハウジング内に収容され、外部からの電波を受信するためのアンテナと、上述するいずれかに記載の表示板とを備えた無線機能付き時計であって、
前記表示板の開口部が、前記アンテナの少なくとも一方の開放端部に対向して配置されることを特徴とする
ここで、本発明では、前記ハウジング内に、無線機能付き時計の駆動源としてのソーラーセルが収納されていてもよい。
【００１８】
このような構成の本発明に係る無線機能付き時計であれば、表示板として金属文字板を使用した場合であっても、表示板の上側部材の開口部を介して電波を受信することが可能となるので、時計全体として高級感を有した無線機能付き時計とすることができる。
【００１９】
さらには、装飾部材や装飾部材と表示板を接合する接合材が透光性を有していることによって、時計を駆動させるのに必要となる光をハウジング内のソーラーセルが受光できるため、時計全体として高級感を有したソーラー機能付き電波時計とすることができる。
【発明の効果】
【００２０】
本発明における上側部材と下側部材とを備えた無線機能付き時計の表示板によれば、金属などの導電性の上側部材により高級感を発揮することができる。また、上側部材の開口部内に下側部材の時字表示体が下方から臨むように配置され、かつその開口部の下方にアンテナの開放端部が配置されているので、外部電波を良好に受信することができる。
【００２１】
また、その上側部材の開口部は、時字表示体により覆われているので目立つことはない。よって、良好な美感を維持することができる。
さらに、上側部材のみで表示板が構成される本発明によれば、美感が良好であるのは勿論のこと、上側部材に設けた開口部の直下にアンテナの開放端部が配置されるので、そのアンテナによる外部電波の受信が良好であるとともに、構造が簡略である。
【図面の簡単な説明】
【００２２】
【図１】図１は、本発明の一実施例による無線機能付き時計の表示板の分解斜視図である。
【図２】図２（Ａ）は、本発明の他の実施例による無線機能付き時計の表示板の分解斜視図で、図２（Ｂ）は、図２（Ａ）の要部概略断面図である。
【図３】図３は、本発明のさらに他の実施例による無線機能付き時計の表示板の分解斜視図である。
【図４】図４は、従来の無線機能付き時計の分解斜視図である。
【図５】図５は、特開２０００−３０４８７６号公報に開示されている従来の表示板の分解斜視図である。
【発明を実施するための形態】
【００２３】
以下、本発明の実施例に係る無線機能付き時計の表示板について図面を参照しながら説明する。
図１は、本発明の一実施例による無線機能付き時計の表示板３０の分解斜視図である。
【００２４】
この表示板３０は、金属などの導電性を有する上側部材３２と非導電性の下側部材３４とから構成され、下側部材３４は円柱状のムーブメント３６の上方に配置される。そして、ムーブメント３６の内方には、外部電波を受信するためのアンテナ３８が収容されている。
【００２５】
この表示板３０は、図４に示した電波時計２の場合と同様に、円筒状の時計ケース本体内に収容され、上方が風防ガラスにより下方が裏蓋により封止される。
なお、本実施例の表示板３０が具備された電波時計において、図示しない時計ケース本体および蓋体は美感および高級感を向上させるために金属から形成されていることが好ましい。時計ケース本体及び裏蓋は、例えば、金、銀、銅、プラチナ、白金、黄銅、アルミニウム、マグネシウム、亜鉛、チタン、ステンレスまたはこれらの合金などの金属から形成することができる。
【００２６】
上記した金属製の上側部材３２の外周部には、多数の開口部４２が等間隔で形成され、これらの開口部４２は、後述する下側部材３４の上面に装飾部材として設けられた時字表示体４４を挿入するための挿入孔として機能している。
【００２７】
一方、上記した非導電性の下側部材３４には、複数の時字表示体４４が上方に突出して形成されている。なお、これら上方に突出して形成された時字表示体４４は下側部材を構成する樹脂板と一体に形成されている。また、下側部材３４の時字表示体４４と上側部材３２の開口部４２とは、対応する位置に形成されている。
【００２８】
またムーブメント３６に内蔵されたアンテナ３８は、バーアンテナと称されるもので、軸芯方向の開放端部３８ａ、３８ｂから電波を受信する指向性を有している。アンテナ３８の全長は、上方に配置された下側部材３４の連続する３つの時字表示体４４、４４，４４の長さに対応している。
【００２９】
これにより、アンテナ３８の一方の開放端部３８ａは、下側部材３４の時字表示体４４ａに、アンテナ３８の他方の開放端部３８ｂは、下側部材３４の時字表示体４４ｂに、それぞれ対応している。
【００３０】
したがって、本実施例によれば、バーアンテナ３８の上方に導電性を有する、すなわち金属製の上側部材３２が配置されているとしても、そのアンテナ３８の開放端部３８ａ、３８ｂは、開口部４２ａ、４２ｂを介していずれも外方に面している。これにより、外部電波を受信することができ、無線機能を発揮することができる。
【００３１】
なお、本実施例の下側部材３４に突出して形成された時字表示体４４の上面には、重厚な金属外観を呈するように薄いプラスチックメッキを施すことができる。このようなプラスチックメッキを時字表示体４４の上面に形成すれば、真空蒸着やホットスタンプでは実現できない多彩・多様な金属質調と質感、皮膜機能、優れた密着性を持たせることができる。さらに、下側部材３４とこの薄いメッキ層に透光性を具備させれば、時計ケース本体内にソーラーセルを設置したいわゆるソーラー機能付き電波時計の文字表示板としても適用可能である。
【００３２】
このように、本実施例では図示しない時計ケース本体および裏蓋を始めとして、表示板３０の上側部材３２が金属材料から形成され、時字表示体４４も金属光沢を呈するので、高級感を発揮することができる。また、デザイン的にも良好である。
【００３３】
また本実施例では、表示板３０の上側部材３２に所定間隔置きに開口部４２が形成され、そのうちの一対の開口部４２ａ、４２ｂの直下にアンテナ３８の開放端部３８ａ、３８ｂが配置されているので、アンテナ３８の受信感度が損なわれることはなく、アンテナ３８による電波の受信は良好である。
【００３４】
さらに下側部材３４と、これと一体の時字表示体４４が透光性を有していることから、太陽光を内方に取り入れることができる。これにより、ソーラー付き電波時計にも適用可能である。
【００３５】
以上、本発明に係る無線機能付き時計の文字表示板３０について説明したが、本発明は上記実施例に何ら限定されない。
例えば、上記実施例では、時字表示体４４が下側部材３４に一体に形成されているが、これに代え、複数の時字表示体４４を別体で形成し、この別体で形成された時字表示体４４を円板状下側部材３４の上面に接着剤を介して接着しても良い。なお、時字表示体４４を別体で形成する場合にも、非導電性で透光性を備える必要がある。
【００３６】
また、上記実施例では、アンテナ３８の開放端部３８ａ、３８ｂが一対の開口４２ａ、４２ｂに対応する位置にそれぞれ配置されているが、アンテナ３８は開放端部３８ａ、３８ｂは、いずれか一方が開口４２ａ、４２ｂに対応する位置に配置されていれば良い。このように、無線機能付き時計では、いずれか一方の開放端部３８ａ、３８ｂが外部に開放されていれば良いので、上側部材３２には、少なくとも１つの開口部４２が形成されていれば良い。
【００３７】
また、上記実施例の電波時計の文字表示板３０では、上側部材３２と下側部材３４との２つの部材の組み合わせにより構成されているが、下側部材３４を省くこともできる。
図２（Ａ）、（Ｂ）は、下側部材３４を省いて導電性の上側部材３２のみで構成した表示板５０を示したものである。この表示板５０では、図１に示した下側部材３４が使用されておらず、ムーブメント３６の直上に上側部材３２のみが配置される。なお、ムーブメント３６内にアンテナ３８が収容されている点、また図示しない円筒状の時計ケース本体や裏蓋が金属製である点などは、上記実施例と同様である。また、ムーブメント内に収容されたアンテナ３８の開放端部３８ａ、３８ｂが、上側部材３２の開口部４２と対応する位置に配置されていることは、上記実施例と同様である。
【００３８】
この表示板５０では、時字表示用の複数個の開口部４２が上側部材３２の外周部に所定間隔置きに形成されている。また、この表示板５０では、開口部４２の下方から時字表示体４４が上方に向かって挿入されるのでなく、図２（Ｂ）に示したように、時字表示体４４は開口部４２の上方から接着剤５４を介して開口部４２の周囲に接着される。
【００３９】
すなわち、本実施例における時字表示体４４は、個別に形成されたものであり、この個別に形成された時字表示体４４は、上側部材３２の上面に直接接着される。なお、この時字表示体４４の表面にも、上記実施例の場合と同様に、金属外観を呈するように薄いプラスチックメッキが施されることが好ましい。
【００４０】
このような表示板５０であっても、図示しない風防ガラスを介して内部の情報を見たときに、表示板５０の上側部材３２および時字表示体４４が金属色を呈しているので、美感に優れるとともに高級感を発揮することができる。また、アンテナ３８の開放端部３８ａ、３８ｂが、開口部４２ａ、４２ｂに対応する位置に配置されているので外部電波を良好に受信することができる。さらに、別個に形成された時字表示体４４、４４は、透光性を有していることから、内部に太陽光を導くことができ、したがってソーラー機能付き電波時計にも適用可能である。さらに、上側部材３２の開口部４２の周囲が、時字表示体４４により覆われるので、美感が損なわれることはない。
【００４１】
以上、本発明の各実施例について説明したが、本発明はこれら実施例に何ら限定されない。
例えば、図１に示した実施例の表示板３０では、下側部材３４に多数個の時字表示体４４を形成し、上側部材３２に多数の開口部４２を形成しているが、図３に示したように、下側部材３４に設ける時字表示体４４を１つとし、これに対応する上側部材３２の開口部４２も１つとした表示板６０にも適用することができる。要は、下方のアンテナ３８のいずれか一方の開放端部３８ａ、３８ｂの上方に開口部が形成されていれば良いなど、本発明の目的を逸脱しない範囲で種々の変更が可能である。
【符号の説明】
【００４２】
３０                表示板
３２                上側部材
３４                下側部材
３６                ムーブメント
３８                アンテナ
３８ａ、３８ｂ      開放端部
４２                開口部
４２ａ、４２ｂ      アンテナの開放端部に対応する開口部
４４                時字表示体
４４ａ、４４ｂ      アンテナの開放端部に対応する開口部
５０                表示板
６０                表示板
【図１】
2010223785.tif 000003
【図２】
2010223785.tif 000004
【図３】
2010223785.tif 000005
【図４】
2010223785.tif 000006
【図５】
2010223785.tif 000007